(57)【特許請求の範囲】
【請求項１】
容器本体と、この容器本体に開閉自在に取り付けられる蓋体とを備え、容器本体内に化粧皿を着脱自在に収納するようにした化粧料容器において、
前記容器本体内を、隔壁を介して２つの収納部に隔成して、その一方を化粧皿収納部として形成し、
前記化粧皿の前記隔壁に相対する側面部分に第１係合部を形成すると共に、この側面とは反対側の側面部分に第２係合部を形成し、
前記隔壁の化粧皿収納部側壁面に、その上面に前記化粧皿収納部内方へ向かって下降傾斜させた傾斜面を有して、前記第１係合部に係脱自在に係合する第３係合部を形成し、
前記隔壁に対向する化粧皿収納部の対向壁面に、横方向に間隔を隔てて形成した縦スリットにより化粧皿収納部内外に向かって弾性可撓変形可能な可撓壁を形成すると共に、この可撓壁に、その上面に前記化粧皿収納部内方へ向かって下降傾斜させた傾斜面を有して、前記第２係合部に係脱自在に係合する第４係合部を形成し、かつ前記可撓壁を避けて高さ方向に間隔を隔てて形成した横スリットにより化粧皿収納部内外に向かって弾性可撓変形可能な弾性壁を形成し、
この弾性壁に前記化粧皿を第３係合部側へ押圧する凸部を形成し、
前記化粧皿収納部にその上方から挿入することで下端部を前記第３係合部および前記第４係合部の前記傾斜面に当接させた前記化粧皿を押し込み操作することで当該化粧皿収納部に収納可能としたことを特徴とする化粧料容器。
【請求項２】
容器本体と、この容器本体に開閉自在に取り付けられる蓋体とを備え、容器本体内に化粧皿を着脱自在に収納するようにした化粧料容器において、
前記容器本体内に中枠を装着すると共に、この中枠内を、隔壁を介して２つの収納部に隔成して、その一方の収納部の底部を切欠して化粧皿収納部として構成し、
前記化粧皿の前記隔壁に相対する側面部分に第１係合部を形成すると共に、この側面とは反対側の側面部分に第２係合部を形成し、
前記中枠の隔壁の化粧皿収納部側壁面に、その上面に前記化粧皿収納部内方へ向かって下降傾斜させた傾斜面を有して、前記第１係合部に係脱自在に係合する第３係合部を形成し、
前記隔壁に対向する前記中枠の化粧皿収納部の対向壁面に、横方向に間隔を隔てて形成した縦スリットにより化粧皿収納部内外に向かって弾性可撓変形可能な可撓壁を形成すると共に、この可撓壁に、その上面に前記化粧皿収納部内方へ向かって下降傾斜させた傾斜面を有して、前記第２係合部に係脱自在に係合する第４係合部を形成し、かつ前記可撓壁を避けて高さ方向に間隔を隔てて形成した横スリットにより化粧皿収納部内外に向かって弾性可撓変形可能な弾性壁を形成し、
この弾性壁に前記化粧皿を第３係合部側へ押圧する凸部を形成し、
前記化粧皿収納部にその上方から挿入することで下端部を前記第３係合部および前記第４係合部の前記傾斜面に当接させた前記化粧皿を押し込み操作することで当該化粧皿収納部に収納可能としたことを特徴とする化粧料容器。
【請求項３】
前記凸部の突出寸法が、前記第２係合部と第４係合部との係合深さよりも小さいことを特徴とする請求項１または２に記載の化粧料容器。
【発明の詳細な説明】
【０００１】
【発明の属する技術分野】
本発明は、化粧皿を交換可能とした化粧料容器に関する。
【０００２】
【従来の技術】
この種の化粧料容器としては実開昭６２−８８０１号公報に開示されるものが存在し、化粧料を詰めた化粧皿を容器本体に対して脱着可能として、１つの化粧料容器で複数種類の化粧料の交換が可能となっている。ところで、前記化粧料容器は脱着しようとする化粧皿の上端周縁部に鍔部を形成すると共に、下端周縁部に突起を形成してあり、化粧皿の一側に設けた突起を容器本体の中央部に形成した仕切りから突設する突起に係合すると共に、化粧皿の他側に設けた突起をカギ状中枠の突出部分下側に係合するようになっている。また、前記化粧皿はばね板により化粧皿の一側の前記突起と前記仕切りの突起とが係合保持される方向に押圧付勢される。
【０００３】
そして、化粧皿を装着する場合はこの化粧皿を斜めにして、かぎ状中枠の突出部分の下側に化粧皿他側の突起を潜り込ませた後、化粧皿一側の突起を仕切りの突起に係合させるようになっている。一方、前記化粧皿を離脱させるには前記装着動作とは逆に、ばね板の付勢力に抗して化粧皿を移動して化粧皿一側の突起と仕切りの突起とを外した後、この化粧皿を斜めにしてかぎ状中枠の突出部分から化粧皿他側の突起を抜取るようになっている。
【０００４】
【発明が解決しようとする課題】
しかしながら、かかる従来の化粧皿を脱着可能とした化粧料容器にあっては、化粧皿一側の突起がかぎ状中枠の突出部分に係合されるようになっているため、この化粧皿の脱着時に化粧皿自体を斜めにする必要がある。このため、化粧皿の脱着の仕方が分かりずらく、操作性が悪いものとなってしまうという課題があった。
【０００５】
そこで、本発明はかかる従来の課題に鑑みて、化粧皿を斜めにすることなく脱着を簡単に行うことができる化粧料容器を提供することを目的とする。
【０００６】
【課題を解決するための手段】
かかる目的を達成するために本発明の第１の構成は、容器本体と、この容器本体に開閉自在に取り付けられる蓋体とを備え、容器本体内に化粧皿を着脱自在に収納するようにした化粧料容器において、前記容器本体内を、隔壁を介して２つの収納部に隔成して、その一方を化粧皿収納部として形成し、前記化粧皿の前記隔壁に相対する側面部分に第１係合部を形成すると共に、この側面とは反対側の側面部分に第２係合部を形成し、前記隔壁の化粧皿収納部側壁面に、その上面に前記化粧皿収納部内方へ向かって下降傾斜させた傾斜面を有して、前記第１係合部に係脱自在に係合する第３係合部を形成し、前記隔壁に対向する化粧皿収納部の対向壁面に、横方向に間隔を隔てて形成した縦スリットにより化粧皿収納部内外に向かって弾性可撓変形可能な可撓壁を形成すると共に、この可撓壁に、その上面に前記化粧皿収納部内方へ向かって下降傾斜させた傾斜面を有して、前記第２係合部に係脱自在に係合する第４係合部を形成し、かつ前記可撓壁を避けて高さ方向に間隔を隔てて形成した横スリットにより化粧皿収納部内外に向かって弾性可撓変形可能な弾性壁を形成し、この弾性壁に前記化粧皿を第３係合部側へ押圧する凸部を形成し、前記化粧皿収納部にその上方から挿入することで下端部を前記第３係合部および前記第４係合部の前記傾斜面に当接させた前記化粧皿を押し込み操作することで当該化粧皿収納部に収納可能としたことを特徴とする。
【０００７】
また、本発明の第２の構成は、容器本体と、この容器本体に開閉自在に取り付けられる蓋体とを備え、容器本体内に化粧皿を着脱自在に収納するようにした化粧料容器において、前記容器本体内に中枠を装着すると共に、この中枠内を、隔壁を介して２つの収納部に隔成して、その一方の収納部の底部を切欠して化粧皿収納部として構成し、前記化粧皿の前記隔壁に相対する側面部分に第１係合部を形成すると共に、この側面とは反対側の側面部分に第２係合部を形成し、前記中枠の隔壁の化粧皿収納部側壁面に、その上面に前記化粧皿収納部内方へ向かって下降傾斜させた傾斜面を有して、前記第１係合部に係脱自在に係合する第３係合部を形成し、前記隔壁に対向する前記中枠の化粧皿収納部の対向壁面に、横方向に間隔を隔てて形成した縦スリットにより化粧皿収納部内外に向かって弾性可撓変形可能な可撓壁を形成すると共に、この可撓壁に、その上面に前記化粧皿収納部内方へ向かって下降傾斜させた傾斜面を有して、前記第２係合部に係脱自在に係合する第４係合部を形成し、かつ前記可撓壁を避けて高さ方向に間隔を隔てて形成した横スリットにより化粧皿収納部内外に向かって弾性可撓変形可能な弾性壁を形成し、この弾性壁に前記化粧皿を第３係合部側へ押圧する凸部を形成し、前記化粧皿収納部にその上方から挿入することで下端部を前記第３係合部および前記第４係合部の前記傾斜面に当接させた前記化粧皿を押し込み操作することで当該化粧皿収納部に収納可能としたことを特徴とする。
【０００８】
そしてまた、前記凸部の突出寸法が、前記第２係合部と第４係合部との係合深さよりも小さいことを特徴とする。
【０００９】
以上の構成により本発明の第１の構成に示す化粧料容器にあっては、化粧皿は２つの収納部に隔成した一方の化粧皿収納部内に着脱自在に収納されるようになっており、この化粧皿を化粧皿収納部に上方から挿入すると、化粧皿の下端部が第３係合部および第４係合部の化粧皿収納部内方へ下降傾斜する傾斜面に当接した状態となり、この状態で化粧皿を押し込み操作すると、化粧皿は、可撓壁を化粧皿収納部外方へ弾性可撓変形させつつその第１および第２係合部が容器本体側の第３および第４係合部を乗り越えて装着されることとなり、化粧皿の装着が完了した時点では、前記可撓壁が弾性復帰して第４係合部が化粧皿の第２係合部に係合されると共に、第３係合部が化粧皿の第１係合部に同時に係合された状態となる。
【００１０】
このとき、弾性壁に形成した凸部で化粧皿が第３係合部側へ押圧されて、この第３係合部と化粧皿の前記第１係合部との係合状態が強固に保持されるので、化粧皿の離脱が確実に防止される。このように化粧皿を上方から化粧皿収納部に単に押し込むことによって、化粧皿の第１，第２係合部が化粧皿収納部の第３，第４係合部にそれぞれ係合されて化粧皿の装着が可能であり、化粧皿の装着作業を著しく簡単に行うことができる。
【００１１】
次に、前記化粧皿を化粧皿収納部から取り外す際には、この化粧皿を隔壁とは反対側の対向壁面側へ押圧することにより、この化粧皿の側面で前記凸部を押圧して弾性壁を撓ませて、第１係合部と第３係合部との係合を解除することができる。そして、この状態で化粧皿をこの第３係合部側から持上げることにより、第２係合部を第４係合部から離脱させることができて、化粧皿を取り外すことができる。
【００１２】
また、本発明の第２の構成に示す化粧料容器にあっては、容器本体に中枠を装着し、この中枠に隔壁を介して化粧皿収納部を形成して化粧皿を収納するようになっており、この化粧皿に第１，第２係合部を形成すると共に、化粧皿収納部の内側に第３係合部，第４係合部を形成した可撓壁，凸部を形成した弾性壁をそれぞれ形成して構成してある。そして、中枠が容器本体とは別体となるため、容器本体と中枠に形成される前記可撓壁および前記弾性壁との材質を任意に変えることができ、容器本体の材質にかかわりなく可撓壁および弾性壁の弾性反発力を適宜に設定することができる。
【００１３】
そしてこれらの構成に対して、凸部を前記第２係合部と第４係合部との係合深さよりも小さく設定するようにすれば、この凸部によって化粧皿を第３係合部側へ押圧してその係合状態を強固なものとしても、第２係合部と第４係合部との係合状態を適切に保持させることができ、化粧皿の離脱がより確実に防止されることになる。
【００１４】
【発明の実施の形態】
以下、本発明の実施例を添付図面を参照して詳細に説明する。図１から図４は本発明にかかる化粧料容器の一実施例を示し、図１は化粧皿を取り出して蓋体を開放した状態の化粧料容器の要部を示す斜視図、図２は化粧皿を取外して蓋体を開放した状態の化粧料容器の要部を示す拡大平面図、図３は化粧皿の装着状態を示す要部拡大側断面図、図４は化粧皿を離脱する状態を示す要部拡大側断面図である。
【００１５】
即ち、本実施例にかかる化粧料容器１０は、図１，図２に示すように容器本体１２の後方端部に蓋体１４が蝶番１６を介して開閉可能に蝶着されている。前記蝶番１６は容器本体１２の後方端部中央部分に形成された凹部１６ａに、蓋体１４から突設された凸部１６ｂが嵌合され、これら凹部１６ａと凸部１６ｂとを回動可能にピン１６ｃで結合することにより構成される。
【００１６】
前記容器本体１２内は略中央部に設けられる隔壁１８によって前後２つの収納部に隔成され、一方（図２中上方）の収納部を化粧皿収納部２０として用い、かつ、他方の収納部をパフ等を入れる小物入れ２２として用いるようになっている。そして、前記化粧皿収納部２０には、前記容器本体１２とは別体に形成された化粧皿２４が脱着可能に収納される。尚、前記隔壁１８の中央部分には、前記化粧皿２４の取出しを容易にするための凹設部分１８ａが形成されている。
【００１７】
前記化粧皿２４は、前記化粧皿収納部２０の内周形状に沿って矩形状に形成され、その内部に化粧料２６が充填される。前記化粧皿２４にはこれを化粧皿収納部２０に収納した際に、前記隔壁１８に相対する側面部分２４ａに第１係合凹部２８が形成されると共に、この側面部分２４ａとは反対側の側面部分２４ｂに第２係合凹部３０（図３参照）が形成される。
【００１８】
一方、前記隔壁１８の化粧皿収納部側壁面２０ａの両側部分には、化粧皿２４の前記第１係合凹部２８に係合可能な第３係合突起３２，３２が突設されている。第３係合部３２，３２には、その上面に化粧皿収納部２０内方へ向かって下降傾斜させた傾斜面が形成される。また、前記化粧皿収納部２０内の隔壁１８に対向する対向壁面２０ｂの両側部分には、縦スリット３４ａを横方向に所定間隔をもって形成するとともに、また切欠した下端を自由端３４ｂとする一対の弾性可撓変形可能な可撓壁３４，３４が形成され、これら可撓壁３４，３４には、前記第２係合凹部３０に係合可能な第４係合突起３６，３６が突設される。第４係合部３６，３６にも、その上面に化粧皿収納部２０内方へ向かって下降傾斜させた傾斜面が形成される。更に、前記対向壁面２０ｂには、前記可撓壁３４，３４の間に位置して弾性可撓変形可能な弾性壁３８が形成される。
【００１９】
前記弾性壁３８は、前記対向壁面２０ｂに横スリット３８ａが高さ方向に所定間隔をもって形成されるとともに、その中央部分が連結部３８ｂを介して容器本体１２側に支持されて構成され、両端部は対向壁面２０ｂから分離されて自由端部となっている。そして、自由端部となった前記弾性壁３８の両端部には、前記第４係合突起３６と第２係合凹部３０との係合深さよりも小さい突出量に設定される一対の凸部４０，４０が突設され、これら凸部４０，４０は前記化粧皿２４の収納状態で側面部分２４ｂの下端部に当接され、この化粧皿２４を第３係合突起３２側に押圧するようになっている。従って、前記凸部４０の突出量が上記のように設定されていることにより、凸部４０で化粧皿２４を押圧しながらも第４係合突起３６が第２係合凹部３０に係合している状態が保持される。
【００２０】
尚、本実施例の化粧料容器１０は、蓋体１４の裏面１４ａにバニティミラー４２が取付けられると共に、この蓋体１４の先端部中央に突設した図外のフックが、容器本体１２の前端部中央に形成した突起４４に係止されることにより、蓋体１４の閉止状態が保持されるようになっている。また、蓋体１４を開放する際には、前記フックと突起４４との係止を解除した後、この蓋体１４を手で持上げるようになっている。
【００２１】
以上の構成により本実施例の化粧料容器１０にあっては、化粧皿２４を装着する際には、この化粧皿２４を上方から化粧皿収納部２０に挿入し、化粧皿２４の下端部が第３係合突起３２，３２および第４係合突起３６，３６の化粧皿収納部２０内方へ下降傾斜する傾斜面に当接した状態から更に押し込むことにより、第４係合突起３６を形成した可撓壁３４が押し開かれ、化粧皿２４の下端部が第３係合突起３２，３２および第４係合突起３６，３６を乗り越えて化粧皿２４は収納される。そして、前記化粧皿２４が完全に挿入完了された時点で前記可撓壁３４，３４が弾性復帰して、図３に示すように前記第３係合突起３２，３２が第１係合凹部２８に係合されると共に、第４係合突起３６，３６が第２係合凹部３０に同時に係合される。このように第３，第４係合突起３２，３６が第１，第２係合凹部２８，３０に係合されることにより、化粧皿２４の離脱が防止されて装着が完了される。
【００２２】
このとき、弾性壁３８に形成した凸部４０で化粧皿２４が第３係合突起３２の方向に押圧されて、この第３係合突起３２と前記第１係合凹部２８との係合状態が強固に保持される。また、前記凸部４０は前記第４係合突起３６と第２係合凹部３０との係合深さよりも小さい突出量に設定されているので、この第４係合突起３６と第２係合凹部３０との係合状態も保持され、化粧皿２４の離脱が防止される。
【００２３】
従って、化粧皿２４を上方から化粧皿収納部２０に単に押し込むことによって、第１，第２係合凹部２８，３０が第３，第４係合突起３２，３６にそれぞれ係合されて化粧皿２４の装着が完了することとなり、化粧皿２４の装着作業を著しく簡単に行うことができる。
【００２４】
次に、前記化粧皿２４を化粧皿収納部２０から取り外す際には、隔壁１８の凹設部分１８ａから指を差し込んで、この化粧皿２４を対向壁面２０ｂ方向に水平に押圧する。すると、前記化粧皿２４の側面２４ｂが前記凸部４０を押圧して弾性壁３８を撓ませることとなり、図４に示すように第３係合突起３２と第１係合凹部２８との係合が解除される。尚、化粧皿２４と化粧皿収納部２０との間には、この化粧皿２４の移動方向に前記第３係合突起３２と第１係合凹部２８とを解除するに必要な隙間δ（図３参照）が設けられている。
【００２５】
そして、このように第３係合突起３２と第１係合凹部２８との係合が解除された状態で、化粧皿２４をこの第３係合突起３２側から持上げることにより、第２係合凹部３０が第４係合突起３６から離脱されて、化粧皿２４の取り外しができるようになっている。
【００２６】
図５は他の実施例を示し、前記各実施例と同一構成部分に同一符号を付して重複する説明を省略して述べる。尚、図５は化粧皿の装着状態の図３に対応した要部拡大側断面図である。
【００２７】
即ち、この実施例は容器本体１２の内底面を平坦に形成し、この容器本体１２内に別体として形成される中枠５０を取付け、この中枠５０内を隔壁１８を介して化粧皿収納部２０と小物入れ２２とに隔成してある。また、前記中枠５０では化粧皿収納部２０の底部が切欠されると共に、この中枠５０の上端周縁部に鍔部５０ａが形成され、この鍔部５０ａが容器本体１２の上端面に当接されるようになっている。
【００２８】
そして、前記中枠５０には、前記隔壁１８の化粧皿収納部２０側の壁面２０ａに第３係合突起３２を形成すると共に、隔壁１８に対向する化粧皿収納部２０内の対向壁面２０ｂに第４係合突起３６を突設した可撓壁３４を形成してある。また、前記第４係合突起３６間の対向壁面２０ｂに、凸部４０を突設した弾性壁３８が形成される。
【００２９】
従って、この実施例にあっても化粧皿２４を上方から化粧皿収納部２０に単に押し込むことによって、この化粧皿２４に形成された第１，第２係合凹部２８，３０が第３，第４係合突起３２，３６にそれぞれ係合されて、化粧皿２４の装着を簡単に行うことができると共に、化粧皿２４を対向壁面２０ｂ方向に水平に押圧することにより、化粧皿２４を化粧皿収納部２０から簡単に取り外すこともできる。
【００３０】
ところで、この実施例にあっては中枠５０を設け、この中枠５０に第３係合突起３２，第４係合突起３６を突設した可撓壁３４，凸部４０を形成した弾性壁３８を形成し、かつ、この中枠５０の底部を切欠して形成したので、この中枠５０を一体成形する際の型抜きが著しく容易になる。従って、本実施例の中枠５０を設けた場合には、容器本体１２自体に前記第３係合突起３２，前記可撓壁３４，前記弾性壁３８等を一体的に形成する場合に比較して、化粧料容器１０の成形が著しく容易になる。
【００３１】
また、中枠５０が容器本体１２と別体であるため、容器本体１２と中枠５０に形成した前記可撓壁３４および前記弾性壁３８との材質を変えることができ、容器本体１２の材質にかかわりなく可撓壁３４および弾性壁３８の弾性反発力を任意に設定することができる。
【００３２】
図６は他の実施例を示し、前記実施例と同一構成部分に同一符号を付して重複する説明を省略して述べる。尚、図６は化粧皿を取外して蓋体を開放した状態の化粧料容器の要部を示す拡大平面図である。
【００３３】
即ち、この実施例では化粧皿収納部２０と小物入れ２２とが左右方向に配置され、かつ、化粧皿収納部２０を円形状に形成してある。勿論、前記化粧皿収納部２０に収納される図外の化粧皿は、この化粧皿収納部２０の内側形状に沿って形成される。
【００３４】
そして、この実施例にあっても隔壁１８の化粧皿収納部２０側の壁面２０ａの両側部分に、前記実施例と同様に第３係合突起３２，３２が形成されると共に、隔壁１８に対向する化粧皿収納部２０内の対向壁面２０ｂの両側部分には、第４係合突起３６，３６を突設した一対の可撓壁３４，３４が形成され、更には、前記対向壁面２０ｂには、可撓壁３４，３４の間に可撓可能な弾性壁３８が形成されている。勿論、この実施例にあっても化粧皿には前記第３，第４係合突起３２，３６に係合される第１，第２係合凹部が形成される。
【００３５】
従って、この実施例にあっても化粧皿を上方から化粧皿収納部２０に単に押し込むことによって、この化粧皿に形成された第１，第２係合凹部が第３，第４係合突起３２，３６にそれぞれ係合されて、化粧皿の装着を簡単に行うことができる。また、化粧皿を化粧皿収納部２０から取り外す際にも、化粧皿を対向壁面２０ｂ方向に水平に押圧して弾性壁３８を撓ませつつ、この化粧皿を第３係合突起３２側から持上げることにより取り外しができる。
【００３６】
尚、この実施例にあっても化粧皿と化粧皿収納部２０との間に間隙δが設けられることとなるので、したがって、化粧皿は化粧皿収納部２０より小径の円形状に形成されたり、また、移動方向に偏平となる楕円形状として形成してもよい。
【００３７】
図７は他の実施例を示し、前記各実施例と同一構成部分に同一符号を付して重複する説明を省略して述べる。尚、図７は要部を示す分解斜視図である。
【００３８】
即ち、この実施例では図５の実施例と同様に中枠５０を設けたもので、この中枠５０の対向壁面２０ｂには第４係合突起３６を突設した可撓壁３４のみを形成する一方、弾性壁３８を容器本体１２に設けてある。尚、前記対向壁面２０ｂには前記可撓壁３４間に位置して前記弾性壁３８を避けるための切欠部５２が形成され、中枠５０の取付け状態で切欠部５２内に前記弾性壁３８が嵌合されるようになっている。また、前記可撓壁３４と弾性壁３８とは面一となるように設定されている。
【００３９】
図８は他の実施例を示し、前記各実施例と同一構成部分に同一符号を付して重複する説明を省略して述べる。尚、図８は要部を示す分解斜視図である。
【００４０】
即ち、この実施例にあっても前記実施例と同様に中枠５０を設けたもので、第４係合突起３６を突設した可撓壁３４を容器本体１２側に形成する一方、弾性壁３８を中枠５０に設けてある。前記可撓壁３４は中枠５０の対向壁面２０ｂと面一となるように容器本体１２の底面から所定の厚さをもって突設される。一方、前記中枠５０には前記可撓壁３４を避けるための切欠部分５２ａが形成され、中枠５０の取付け状態でこの可撓壁３４が切欠部分５２ａに嵌合されるようになっている。
【００４１】
図９は他の実施例を示し、前記各実施例と同一構成部分に同一符号を付して重複する説明を省略して述べる。尚、図９は化粧皿を取り外して蓋体を開放した状態の要部斜視図である。
【００４２】
即ち、この実施例では可撓壁３４，第４係合突起３６および弾性壁３８が容器本体１２に一括して形成されるものであり、弾性壁３８を容器本体１２側に支持する連結部３８ｂを、二重壁として構成される対向壁面２０ｂの外側壁２０ｃから突設してある。従って、前記対向壁面２０ｂの内側壁２０ｄには前記弾性壁３８を嵌合する切欠部５２ｂが形成される。
【００４３】
図１０は他の実施例を示し、前記各実施例と同一構成部分に同一符号を付して重複する説明を省略して述べる。尚、図１０は化粧皿を取り外して蓋体を開放した状態の要部斜視図である。
【００４４】
即ち、この実施例でも可撓壁３４，第４係合突起３６および弾性壁３８が容器本体１２に一括して形成されており、弾性壁３８を容器本体１２に連結する部分を幅広に形成し、この幅広となった連結部分に縦スリット３４ａおよび自由端３４ｂを形成して可撓壁３４を構成してある。
【００４５】
従って、この実施例では可撓壁３４が１つとなり、図外の化粧皿はこの可撓壁３４に形成される第４係合突起３６と隔壁１８に形成される第３係合突起３２，３２によって３点支持されることになる。
【００４６】
図１１は他の実施例を示し、前記各実施例と同一構成部分に同一符号を付して重複する説明を省略して述べる。尚、図１１は化粧皿を取り外して蓋体を開放した状態の要部斜視図である。
【００４７】
即ち、この実施例も可撓壁３４，第４係合突起３６および弾性壁３８が容器本体１２に形成されるものであり、対向壁面２０ｂの中央部に１つの可撓壁３４を形成し、かつ、この可撓壁３４の両側に一対設けられる弾性壁３８の連結部３８ｂを対向壁面２０ｂの両側部分に設け、かつ、自由端部を中央側に対向して設けてある。
【００４８】
【発明の効果】
以上説明したように本発明の請求項１に示す化粧料容器にあっては、弾性可撓変形可能な可撓壁により、化粧皿の第１および第２係合部が化粧皿収納部の壁の第３および第４係合部を乗り越えることが容易なので、化粧皿を化粧皿収納部に上方から挿入して、当該化粧皿の下端部を第３係合部および第４係合部の化粧皿収納部内方へ下降傾斜する傾斜面に当接させた状態で、化粧皿を単に押し込むことで簡単に化粧皿収納部に係合させることができ、化粧皿の装着作業を著しく簡単に行うことができる。また、係合の後にあっては、可撓壁が弾性復帰して第４係合部が化粧皿の第２係合部に係合すると共に、第３係合部が化粧皿の第１係合部に係合すると同時に、このとき弾性壁に形成した凸部によって化粧皿を第３係合部側へ押圧することができてこの第３係合部と化粧皿の前記第１係合部との係合状態を強固に保持することができるようになっているので、化粧皿の離脱を確実に防止することができる。
【００４９】
他方、前記化粧皿を化粧皿収納部から取り外す際には、弾性可撓変形可能な弾性壁によって、化粧皿を隔壁とは反対側の対向壁面側へ押圧することで凸部を介して弾性壁を撓ませて第１係合部と第３係合部との係合を容易に解除することができ、化粧皿の取り外し作業を著しく簡単に行うことができる。
【００５０】
また、本発明の請求項２に示す化粧料容器にあっては、化粧皿収納部を構成する中枠を容器本体とは別体に形成したので、容器本体と中枠に形成される前記可撓壁および前記弾性壁との材質を任意に変えることができ、容器本体の材質にかかわりなく可撓壁および弾性壁の弾性反発力を適宜に設定することができる。
【００５１】
そしてさらに、上記の化粧料容器に対して、凸部を前記第２係合部と第４係合部との係合深さよりも小さく設定するようにしたので、この凸部によって化粧皿を第３係合部側へ押圧してその係合状態を強固なものとしても、第２係合部と第４係合部との係合状態を適切に保持させることができ、化粧皿の離脱をより確実に防止することができるという各種優れた効果を奏する。
【図面の簡単な説明】
【図１】本発明の一実施例を示す化粧皿を取り出して蓋体を開放した状態の要部斜視図である。
【図２】本発明の一実施例を示す化粧皿を取外して蓋体を開放した状態の要部拡大平面図である。
【図３】本発明の一実施例を示す化粧皿の装着状態の要部拡大側断面図である。
【図４】本発明の一実施例を示す化粧皿を離脱する状態の要部拡大側断面図である。
【図５】本発明の他の実施例を示す化粧皿の装着状態の要部拡大側断面図である。
【図６】本発明の他の実施例を示す化粧皿を取外して蓋体を開放した状態の要部拡大平面図である。
【図７】本発明の他の実施例を示す要部分解斜視図である。
【図８】本発明の他の実施例を示す要部分解斜視図である。
【図９】本発明の他の実施例を示す化粧皿を取外して蓋体を開放した状態の要部斜視図である。
【図１０】本発明の他の実施例を示す化粧皿を取外して蓋体を開放した状態の要部斜視図である。
【図１１】本発明の他の実施例を示す化粧皿を取外して蓋体を開放した状態の要部斜視図である。
【符号の説明】
１０  化粧料容器                    １２  容器本体
１４  蓋体                          １６  蝶番
１８  隔壁                          ２０  化粧皿収納部
２０ａ  隔壁の壁面                  ２０ｂ  対向壁面
２４  化粧皿                        ２６  化粧料
２８  第１係合凹部                  ３０  第２係合凹部
３２  第３係合突起                  ３４  可撓壁
３４ａ  縦スリット                  ３４ｂ  自由端
３６  第４係合突起                  ３８  弾性壁
３８ａ  横スリット                  ３８ｂ  連結部
４０  凸部                          ５０  中枠
【図１】
0003850477.tif 000002
【図２】
0003850477.tif 000003
【図３】
0003850477.tif 000004
【図４】
0003850477.tif 000005
【図５】
0003850477.tif 000006
【図６】
0003850477.tif 000007
【図７】
0003850477.tif 000008
【図８】
0003850477.tif 000009
【図９】
0003850477.tif 000010
【図１０】
0003850477.tif 000011
【図１１】
0003850477.tif 000012